(57)【特許請求の範囲】
【請求項１】
状態を通知する方法であって、
端末のユーザーの現在の状態情報を取得することと、
前記現在の状態情報を前記ユーザーの事前設定の連絡先に通知することと、
を含み、
前記の端末のユーザーの現在の状態情報を取得することは、
前記ユーザーにより設定された第１の現在の状態情報を取得することと、
前記ユーザーのカレンダーイベントを検出して前記ユーザーの第２の現在の状態情報を確定するか、又はインテリジェントウェアラブル機器によりフィードバックされた前記ユーザーの第２の現在の状態情報を検出することと、
前記第２の現在の状態情報と前記第１の現在の状態情報を比較することと、
前記第２の現在の状態情報と前記第１の現在の状態情報がマッチングしない場合、前記第２の現在の状態情報を前記ユーザーの現在の状態情報とすることと、
を含むことを特徴とする状態を通知する方法。
【請求項２】
前記端末のユーザーの現在の状態情報を取得することは、
前記ユーザーの現在の状態情報に対する設定結果が存在するか否かを判断することと、
前記設定結果が存在する場合、前記設定結果に基づいて前記ユーザーの現在の状態情報
を取得することと、
を含むことを特徴とする請求項１に記載の方法。
【請求項３】
前記端末のユーザーの現在の状態情報を取得することは、
前記ユーザーのカレンダーイベントを検出することと、
前記カレンダーイベントに基づいて前記ユーザーの現在の状態情報を確定することと、
を含むことを特徴とする請求項１に記載の方法。
【請求項４】
前記端末のユーザーの現在の状態情報を取得することは、
前記端末とバインドされたインテリジェントウェアラブル機器によりフィードバックされた前記ユーザーの現在の状態情報を取得することを含むことを特徴とする請求項１に記載の方法。
【請求項５】
前記現在の状態情報を前記ユーザーの事前設定の連絡先に通知することは、
前記ユーザーの現在の状態情報に対応する呼出音を生成することと、
前記事前設定の連絡先からの電話を受信した場合、前記呼出音を再生することと、
を含むことを特徴とする請求項１に記載の方法。
【請求項６】
前記ユーザーの現在の状態情報に対応する呼出音を生成することは、
前記ユーザーの現在の状態を含む音声情報を収集して、前記音声情報を前記ユーザーの現在の状態情報に対応する呼出音とすることを含むことを特徴とする請求項５に記載の方法。
【請求項７】
前記ユーザーの現在の状態情報に対応する呼出音を生成することは、
前記ユーザーの現在の状態情報に対応する事前設定の呼出音を検索して、前記事前設定の呼出音を前記ユーザーの現在の状態情報に対応する呼出音とすることを含むことを特徴とする請求項５に記載の方法。
【請求項８】
前記現在の状態情報を前記ユーザーの事前設定の連絡先に通知することは、
前記現在の状態情報を前記事前設定の連絡先の端末に送信し、前記事前設定の連絡先の端末が前記現在の状態情報に基づいて前記ユーザーの現在の状態をマーキングすることを含むことを特徴とする請求項１に記載の方法。
【請求項９】
状態を通知する装置であって、
端末のユーザーの現在の状態情報を取得する取得モジュールと、
前記現在の状態情報を前記ユーザーの事前設定の連絡先に通知する通知モジュールと、を含み、
前記取得モジュールは、
前記ユーザーにより設定された第１の現在の状態情報を取得する第３の取得サブモジュールと、
前記ユーザーのカレンダーイベントを検出して前記ユーザーの第２の現在の状態情報を確定するか、又はインテリジェントウェアラブル機器によりフィードバックされた前記ユーザーの第２の現在の状態情報を検出する第２の検出サブモジュールと、
前記第２の現在の状態情報と前記第１の現在の状態情報を比較する比較サブモジュールと、
前記第２の現在の状態情報と前記第１の現在の状態情報がマッチングしない場合、前記第２の現在の状態情報を前記ユーザーの現在の状態情報とする第２の確定サブモジュールと、を含むことを特徴とする状態を通知する装置。
【請求項１０】
前記取得モジュールは、
前記ユーザーの現在の状態情報に対する設定結果が存在するか否かを判断する判断サブモジュールと、
前記設定結果が存在する場合、前記設定結果に基づいて前記ユーザーの現在の状態情報を取得する第１の取得サブモジュールと、
を含むことを特徴とする請求項９に記載の装置。
【請求項１１】
前記取得モジュールは、
前記ユーザーのカレンダーイベントを検出する第１の検出サブモジュールと、
前記カレンダーイベントに基づいて前記ユーザーの現在の状態情報を確定する第１の確定サブモジュールと、
を含むことを特徴とする請求項９に記載の装置。
【請求項１２】
前記取得モジュールは、
前記端末とバインドされたインテリジェントウェアラブル機器によりフィードバックされた前記ユーザーの現在の状態情報を取得する第２の取得サブモジュールを含むことを特徴とする請求項９に記載の装置。
【請求項１３】
前記通知モジュールは
前記ユーザーの現在の状態情報に対応する呼出音を生成する生成サブモジュールと、
前記事前設定の連絡先からの電話を受信した場合、前記呼出音を再生する再生サブモジュールと、
を含むことを特徴とする請求項９に記載の装置。
【請求項１４】
前記生成サブモジュールは、前記ユーザーの現在の状態を含む音声情報を収集し、前記音声情報を前記ユーザーの現在の状態情報に対応する呼出音とすることを特徴とする請求項１３に記載の装置。
【請求項１５】
前記生成サブモジュールは、前記ユーザーの現在の状態情報に対応する事前設定の呼出音を検索し、前記事前設定の呼出音を前記ユーザーの現在の状態情報に対応する呼出音とすることを特徴とする請求項１３に記載の装置。
【請求項１６】
前記通知モジュールは、
前記現在の状態情報を前記事前設定の連絡先の端末に送信し、前記事前設定の連絡先の端末が前記現在の状態情報に基づいて前記ユーザーの現在の状態をマーキングする送信サブモジュールを含むことを特徴とする請求項９に記載の装置。
【請求項１７】
状態を通知する装置であって、
プロセッサと、プロセッサにより実行可能なコマンドを記憶するメモリと、を含み、
前記プロセッサは、
端末のユーザーの現在の状態情報を取得し、前記現在の状態情報を前記ユーザーの事前設定の連絡先に通知するように構成され、
前記の端末のユーザーの現在の状態情報を取得することは、
前記ユーザーにより設定された第１の現在の状態情報を取得することと、
前記ユーザーのカレンダーイベントを検出して前記ユーザーの第２の現在の状態情報を確定するか、又はインテリジェントウェアラブル機器によりフィードバックされた前記ユーザーの第２の現在の状態情報を検出することと、
前記第２の現在の状態情報と前記第１の現在の状態情報を比較することと、
前記第２の現在の状態情報と前記第１の現在の状態情報がマッチングしない場合、前記第２の現在の状態情報を前記ユーザーの現在の状態情報とすることと、を含むことを特徴とする状態を通知する装置。
【発明の詳細な説明】
【技術分野】
【０００１】
本発明は無線通信の技術分野に関し、特に状態を通知する方法及び装置に関する。
【背景技術】
【０００２】
現在、ユーザーは、会議中、授業中、睡眠中などの場合、電話に応答できないか或いはショートメッセージに返信しにくいため、連絡先に自分の現在の状態を通知することができず、コミュニケーションが取りにくい。
【発明の概要】
【０００３】
本発明の実施例は、状態を通知する方法及び装置を提供する。上記の技術的解決手段は以下のとおりである。
【０００４】
本発明の実施例の第１の態様によれば、
端末のユーザーの現在の状態情報を取得することと、
前記現在の状態情報を前記ユーザーの事前設定の連絡先に通知することと、を含む状態を通知する方法を提供する。
【０００５】
前記端末のユーザーの現在の状態情報を取得することは、
前記ユーザーの現在の状態情報に対する設定結果が存在するか否かを判断することと、
前記設定結果が存在する場合、前記設定結果に基づいて前記ユーザーの現在の状態情報を取得することと、を含み得る。
【０００６】
前記端末のユーザーの現在の状態情報を取得することは、
前記ユーザーのカレンダーイベントを検出することと、
前記カレンダーイベントに基づいて前記ユーザーの現在の状態情報を確定することと、を含み得る。
【０００７】
前記端末のユーザーの現在の状態情報を取得することは、
前記端末とバインドされたインテリジェントウェアラブル機器によりフィードバックされた前記ユーザーの現在の状態情報を取得することを含み得る。
【０００８】
前記端末のユーザーの現在の状態情報を取得することは、
前記ユーザーにより設定された第１の現在の状態情報を取得することと、
前記ユーザーのカレンダーイベントを検出して前記ユーザーの第２の現在の状態情報を確定するか、又はインテリジェントウェアラブル機器によりフィードバックされた前記ユーザーの第２の現在の状態情報を検出することと、
前記第２の現在の状態情報と前記第１の現在の状態情報を比較することと、
前記第２の現在の状態情報と前記第１の現在の状態情報がマッチングしない場合、前記第２の現在の状態情報を前記ユーザーの現在の状態情報とすることとを含み得る。
【０００９】
前記現在の状態情報を前記ユーザーの事前設定の連絡先に通知することは、
前記ユーザーの現在の状態情報に対応する呼出音を生成することと、
前記事前設定の連絡先からの電話を受信した場合、前記呼出音を再生することと、を含み得る。
【００１０】
前記ユーザーの現在の状態情報に対応する呼出音を生成することは、
前記ユーザーの現在の状態を含む音声情報を収集して、前記音声情報を前記ユーザーの現在の状態情報に対応する呼出音とすることを含み得る。
【００１１】
前記ユーザーの現在の状態情報に対応する呼出音を生成することは、
前記ユーザーの現在の状態情報に対応する事前設定の呼出音を検索して、前記事前設定の呼出音を前記ユーザーの現在の状態情報に対応する呼出音とすることを含み得る。
【００１２】
前記現在の状態情報を前記ユーザーの事前設定の連絡先に通知することは、
前記現在の状態情報を前記事前設定の連絡先の端末に送信し、前記事前設定の連絡先の端末が前記現在の状態情報に基づいて前記ユーザーの現在の状態をマーキングすることを含み得る。
【００１３】
本開示の実施例の第２の態様によれば、
端末のユーザーの現在の状態情報を取得する取得モジュールと、
前記現在の状態情報を前記ユーザーの事前設定の連絡先に通知する通知モジュールと、を含む状態を通知する装置を提供する。
【００１４】
前記取得モジュールは、
前記ユーザーの現在の状態情報に対する設定結果が存在するか否かを判断する判断サブモジュールと、
前記設定結果が存在する場合、前記設定結果に基づいて前記ユーザーの現在の状態情報を取得する第１の取得サブモジュールと、を含み得る。
【００１５】
前記取得モジュールは、
前記ユーザーのカレンダーイベントを検出する第１の検出サブモジュールと、
前記カレンダーイベントに基づいて前記ユーザーの現在の状態情報を確定する第１の確定サブモジュールと、を含み得る。
【００１６】
前記取得モジュールは、
前記端末とバインドされたインテリジェントウェアラブル機器によりフィードバックされた前記ユーザーの現在の状態情報を取得する第２の取得サブモジュールを含み得る。
【００１７】
前記取得モジュールは、
前記ユーザーにより設定された第１の現在の状態情報を取得する第３の取得サブモジュールと、
前記ユーザーのカレンダーイベントを検出して前記ユーザーの第２の現在の状態情報を確定するか、又はインテリジェントウェアラブル機器によりフィードバックされた前記ユーザーの第２の現在の状態情報を検出する第２の検出サブモジュールと、
前記第２の現在の状態情報と前記第１の現在の状態情報を比較する比較サブモジュールと、
前記第２の現在の状態情報と前記第１の現在の状態情報がマッチングしない場合、前記第２の現在の状態情報を前記ユーザーの現在の状態情報とする第２の確定サブモジュールと、を含み得る。
【００１８】
前記通知モジュールは、
前記ユーザーの現在の状態情報に対応する呼出音を生成する生成サブモジュールと、
前記事前設定の連絡先からの電話を受信した場合、前記呼出音を再生する再生サブモジュールと、を含み得る。
【００１９】
前記生成サブモジュールは、前記ユーザーの現在の状態を含む音声情報を収集して、前記音声情報を前記ユーザーの現在の状態情報に対応する呼出音とすることができる。
【００２０】
前記生成サブモジュールは、前記ユーザーの現在の状態情報に対応する事前設定の呼出音を検索して、前記事前設定の呼出音を前記ユーザーの現在の状態情報に対応する呼出音とすることができる。
【００２１】
前記通知モジュールは、
前記現在の状態情報を前記事前設定の連絡先の端末に送信し、前記事前設定の連絡先の端末が前記現在の状態情報に基づいて前記ユーザーの現在の状態をマーキングする送信サブモジュールを含み得る。
【００２２】
本開示の実施例の第３の態様によれば、
プロセッサと、プロセッサにより実行可能なコマンドを記憶するメモリと、を含み、
前記プロセッサは、
端末のユーザーの現在の状態情報を取得し、前記現在の状態情報を前記ユーザーの事前設定の連絡先に通知するように構成される状態を通知する装置を提供する。
【発明の効果】
【００２３】
本開示の実施例により提供される技術的解決手段は以下のような有益な効果を含むことができる。
【００２４】
上記の技術的解決手段において、端末のユーザーの現在の状態は電話に応答しにくいか又はショートメッセージに返信しにくい状態である可能性があるため、ユーザーの現在の状態情報を事前設定の連絡先に通知することにより、事前設定の連絡先にユーザーが電話に応答できなかったこと又はショートメッセージに返信できなかったことの原因を理解させるか、又は事前設定の連絡先に該ユーザーと連絡する前に該ユーザーの状態を知らせることができ、よって該ユーザーの現在の状態に基づいて該ユーザーと連絡するか否かを選択することができる。このようにして、ユーザー同士のコミュニケーションをさらに円滑し、通信の効率を向上させ、ユーザーエクスペリエンスもさらに向上させる。
【００２５】
また、端末はユーザーの状態を設定する機能を提供し、ユーザーは該機能を通じて手動で自分の現在の状態を設定することができる。端末によりユーザーが現在の状態を設定する操作をしていると確定した場合、設定結果に基づいてユーザーの現在の状態情報を取得する。ユーザーは自分の現在の状態を設定することで、ユーザーが電話に応答しにくい場合又はショートメッセージに返信しにくい場合に事前設定の連絡先に適時に通知することができ、ユーザー同士の円滑な通信を保証し、ユーザーエクスペリエンスを向上させる。
【００２６】
また、さらに、ユーザーのカレンダーイベントに基づいてユーザーの現在の状態を確定することができ、ユーザーが自ら自分の状態を設定する必要なく、さらに柔軟、便利、迅速、正確にユーザーの状態を取得することができ、ユーザーが電話に応答しにくい場合又はショートメッセージに返信しにくい場合に事前設定の連絡先に適時に通知することができ、ユーザー同士の円滑な通信を保証し、ユーザーエクスペリエンスを向上させる。
【００２７】
また、インテリジェントウェアラブル機器によってユーザーの現在の状態をリアルタイムで検出することにより、ユーザーの状態をより正確に取得することができ、ユーザーが電話に応答しにくい場合又はショートメッセージに返信しにくい場合に事前設定の連絡先に適時に通知することができ、ユーザー同士の円滑な通信を保証し、ユーザーエクスペリエンスを向上させる。
【００２８】
また、取得された異なるユーザーの現在の状態情報をスクリーニングすることにより、取得されたユーザーの現在の状態を、さらに正確に、さらにユーザーの実際の状態に合致させ、ユーザーが電話に応答しにくい場合又はショートメッセージに返信しにくい場合に事前設定の連絡先に適時に通知することができ、ユーザー同士の円滑な通信を保証し、ユーザーエクスペリエンスを向上させる。
【００２９】
また、端末は、事前設定の連絡先からの着信がある場合、ユーザーの現在の状態に対応する呼出音を再生して、事前設定の連絡先が呼出音を聞いた後に該ユーザーの現在の状態を分かるようにし、ユーザーが電話に出られない原因を理解させることができ、ユーザー同士の円滑な通信を保証し、ユーザーエクスペリエンスを向上させる。
【００３０】
また、ユーザーは自分の現在の状態を自分で説明しながら録音し、録音により得られた音声情報をユーザーの現在の状態情報に対応する呼出音とするか、又は現在の状態に対応するデフォルト状態の着信音を選択してユーザーの現在の状態情報に対応する呼出音とすることができる。このようにして、事前設定の連絡先は呼出音を聞いた後該ユーザーの現在の状態を知り、ユーザーが電話に出られない原因を理解することができ、ユーザー同士の円滑な通信を保証し、ユーザーエクスペリエンスを向上させる。
【００３１】
また、端末は該ユーザーの現在の状態情報を事前設定の連絡先の端末に送信することができ、事前設定の連絡先の端末はアドレス帳における該ユーザーの位置に該ユーザーの現在の状態をマーキングして、事前設定の連絡先に該ユーザーと連絡する前に該ユーザーの状態を取得させることができ、よって該ユーザーの現在の状態に基づいて該ユーザーと連絡するか否かを選択することができる。このようにして、ユーザー同士のコミュニケーションをさらに円滑にし、通信の効率を向上させ、ユーザーエクスペリエンスもさらに向上させる。
【００３２】
上記の一般的な説明と後の詳細な説明は例示的及び解釈的なものに過ぎず、本開示を限定するものではないことは、理解されるべきである。
【図面の簡単な説明】
【００３３】
ここの図面は本明細書の一部であって、本発明の実施例を例示するものであり、明細書と共に本発明の原理を解釈するのに用いられる。
【図１ａ】図１ａは、例示的な実施例により示された状態を通知する方法のフローチャートである。
【図１ｂ】図１ｂは、他の例示的な実施例により示された状態を通知する方法のフローチャートである。
【図２】図２は、例示的な実施例により示された端末のユーザーの現在の状態情報を取得する方法のフローチャートである。
【図３】図３は、他の例示的な実施例により示された端末のユーザーの現在の状態情報を取得する方法のフローチャートである。
【図４】図４は、他の例示的な実施例により示された端末のユーザーの現在の状態情報を取得する方法のフローチャートである。
【図５】図５は、例示的な実施例により示された現在の状態情報をユーザーの事前設定の連絡先に通知する方法のフローチャートである。
【図６】図６は、例示的な実施例により示されたユーザーの現在の状態情報に対応する呼出音を生成する方法のフローチャートである。
【図７】図７は、他の例示的な実施例により示されたユーザーの現在の状態情報に対応する呼出音を生成する方法のフローチャートである。
【図８】図８は、例示的な実施例により示された事前設定の連絡先により該ユーザーの現在の状態をマーキングすることを示す図である。
【図９】図９は、例示的な実施例により示された状態を通知する装置のブロック図である。
【図１０】図１０は、例示的な実施例により示された取得モジュールのブロック図である。
【図１１】図１１は、他の例示的な実施例により示された取得モジュールのブロック図である。
【図１２】図１２は、他の例示的な実施例により示された取得モジュールのブロック図である。
【図１３】図１３は、他の例示的な実施例により示された取得モジュールのブロック図である。
【図１４】図１４は、例示的な実施例により示された通知モジュールのブロック図である。
【図１５】図１５は、他の例示的な実施例により示された通知モジュールのブロック図である。
【図１６】図１６は、例示的な実施例により示されたカメラ制御装置のブロック図である。
【発明を実施するための形態】
【００３４】
ここで例示的な実施例について詳しく説明し、その例示は図面に示す通りである。下記の説明が図面に関わる場合、別途に表示されない限り、異なる図面における同じ数字は同じ又は類似する要素を表示する。以下の例示的な実施例で説明される実施形態は本発明と一致する全ての実施形態を代表するものではない。逆に、それらは添付の特許請求の範囲に詳細に記載された本発明の一部の態様と一致する装置と方法の例に過ぎない。
【００３５】
本発明の実施例により提供される技術的解決手段は、通信機能を有する端末に関し、端末はそのユーザーの現在の状態を事前設定の連絡先に通知して、該ユーザーの現在の状態、例えば会議中、授業中、睡眠中、運動中、飛行機搭乗中などの電話に応答しにくいか又はショートメッセージに返信しにくいなどの状態を相手に知らせることができ、連絡先も該ユーザーの状態に基づいて該ユーザーと連絡するか否かを確定することができる。このようにして、ユーザー同士のコミュニケーション効率を向上させ、ユーザーエクスペリエンスもさらに向上させる。
【００３６】
該端末は、携帯電話、コンピュータ、デジタル放送端末、メッセージ送受信装置、ゲームコンソール、タブレット型デバイス、医療機器、運動器具、携帯情報端末などの通信機能を有する装置であることができる。
【００３７】
図１ａは例示的な実施例により示された状態を通知する方法のフローチャートである。図１ａに示すように、端末に用いられる状態を通知する方法は、
端末のユーザーの現在の状態情報を取得するステップＳ１１ａと、
現在の状態情報をユーザーの事前設定の連絡先に通知するステップＳ１２ａと、を含む。
【００３８】
本実施例において、端末のユーザーの現在の状態は電話に応答しにくいか又はショートメッセージに返信しにくい状態である可能性があるため、ユーザーの現在の状態情報を事前設定の連絡先に通知することにより、事前設定の連絡先にユーザーが電話に出られなかったこと又はショートメッセージに返信できなかったことの原因を理解させ、又は事前設定の連絡先に該ユーザーと連絡する前に該ユーザーの状態を知らせることができ、よって該ユーザーの現在の状態に基づいて該ユーザーと連絡するか否かを選択することができる。このようにして、ユーザー同士のコミュニケーションをさらに円滑にし、通信の効率を向上させ、ユーザーエクスペリエンスもさらに向上させる。
【００３９】
図１ｂは他の例示的な実施例により示された状態を通知する方法のフローチャートである。図１ｂに示すように、状態を通知する方法は、
端末のユーザーの現在の状態情報を取得するステップＳ１１ｂと、
現在の状態情報をユーザーの事前設定の連絡先に通知するステップＳ１２ｂと、を含む。
【００４０】
そのうち、ステップＳ１１ｂにおいて、端末のユーザーの現在の状態情報を取得することは、以下の態様により実現することができるが、これらに限定されるものではない。
【００４１】
〔態様１〕
図２は例示的な実施例により示された端末のユーザーの現在の状態情報を取得する方法のフローチャートである。図２に示すように、ステップＳ１１は、
ユーザーの現在の状態情報に対する設定結果が存在するか否かを判断するステップＳ２１と、
設定結果が存在する場合、設定結果に基づいてユーザーの現在の状態情報を取得するステップＳ２２と、を含む。
【００４２】
また、端末はユーザーの状態を設定する機能を提供し、ユーザーは該機能を通じて手動で自分の現在の状態を設定することができる。端末によりユーザーが現在の状態を設定する操作をしていると確定した場合、設定結果に基づいてユーザーの現在の状態情報を取得する。ユーザーは自分の現在の状態を設定することで、ユーザーが電話に応答しにくい場合又はショートメッセージに返信しにくい場合に事前設定の連絡先に適時に通知することができ、ユーザー同士の円滑な通信を保証し、ユーザーエクスペリエンスを向上させる。
【００４３】
〔態様２〕
図３は他の例示的な実施例により示された端末のユーザーの現在の状態情報を取得する方法のフローチャートである。図３に示すように、ステップＳ１１は、
ユーザーのカレンダーイベントを検出するステップＳ３１と、
カレンダーイベントに基づいてユーザーの現在の状態情報を確定するステップＳ３２と、を含む。
【００４４】
例えば、ユーザーのカレンダーに基づき、該ユーザーが２０１５年７月２３日９：００〜１２：００に会議に出席することを知った場合、端末は該ユーザーの２０１５年７月２３日９：００〜１２：００の状態が会議中であることを確定することができる。または、ユーザーのカレンダーに基づき、ユーザーが２０１５年７月２４日１０：００〜１２：４０に飛行機に乗って北京からチョントゥー（成都）へ向かうことを知った場合、端末は該ユーザーの２０１５年７月２４日１０：００〜１２：４０の状態が飛行機搭乗中であることを確定することができる。
【００４５】
さらに、ユーザーのカレンダーイベントに基づいてユーザーの現在の状態を確定することができ、ユーザーは自ら自分の状態を設定する必要なく、さらに柔軟、便利、迅速、正確にユーザーの状態を取得し、ユーザーが電話に応答しにくいか又はショートメッセージに返信しにくい場合に事前設定の連絡先に適時に通知することができ、ユーザー同士の円滑な通信を保証し、ユーザーエクスペリエンスを向上させる。
【００４６】
〔態様３〕
ステップＳ１１は、
端末とバインドされたインテリジェントウェアラブル機器によりフィードバックされたユーザーの現在の状態情報を取得することを含む。
【００４７】
例えば、インテリジェントウェアラブル機器によりユーザーが現在睡眠中であることが認識された場合、端末は自動的にユーザーの現在の状態情報を睡眠中に修正する。また、インテリジェントウェアラブル機器によりユーザーが現在ランニング中であることが認識された場合、ユーザーの現在の状態情報をランニング中に修正する。
【００４８】
また、インテリジェントウェアラブル機器によりユーザーの現在の状態をリアルタイムで検出することにより、ユーザーの状態をさらに正確に取得し、ユーザーが電話に応答しにくいか又はショートメッセージに返信しにくい場合に事前設定の連絡先に適時に通知することができ、ユーザー同士の円滑な通信を保証し、ユーザーエクスペリエンスを向上させる。
【００４９】
〔態様４〕
図４は他の例示的な実施例により示された端末のユーザーの現在の状態情報を取得する方法のフローチャートである。図４に示すように、ステップＳ１１は、
ユーザーにより設定された第１の現在の状態情報を取得するステップＳ４１と、
ユーザーのカレンダーイベントを検出してユーザーの第２の現在の状態情報を確定するか、又はインテリジェントウェアラブル機器によりフィードバックされたユーザーの第２の現在の状態情報を検出するステップＳ４２と、
第２の現在の状態情報と第１の現在の状態情報を比較するステップＳ４３と、
第２の現在の状態情報と第１の現在の状態情報がマッチングしない場合、第２の現在の状態情報をユーザーの現在の状態情報とするステップＳ４４とを含む。
【００５０】
端末は、上記態様１〜態様３を介して、少なくとも二つの異なるユーザーの状態を取得することができ、従って、ユーザーのカレンダーイベントを優先的に採用して確定したユーザーの現在の状態又はインテリジェントウェアラブル機器により検出されたユーザーの現在の状態を設定することができる。例えば、ユーザーの設定状態が２０１５年７月２３日９：００〜１２：００に正常である場合、電話に出るか又はショートメッセージに返信することができるが、カレンダーイベントを通じてユーザーが２０１５年７月２３日１０：００〜１２：４０に飛行機に乗ってチョントゥーへ向かうことを見つけた場合、端末はユーザーの現在の状態情報を飛行機搭乗中に修正することができる。または、ユーザーにより設定された現在の状態は正常であるが、インテリジェントウェアラブル機器によりユーザーの現在の状態が運動中であることが検出された場合、端末は自動的にユーザーの現在の状態情報を運動中に修正することができる。
【００５１】
また、取得された異なるユーザーの現在の状態情報をスクリーニングすることにより、取得されたユーザーの現在の状態をより正確に、ユーザーの実際状態により合致するようにし、ユーザーが電話に応答しにくいか又はショートメッセージに返信しにくい場合に事前設定の連絡先に適時に通知し、ユーザー同士の円滑な通信を保証し、ユーザーエクスペリエンスを向上させる。
【００５２】
なお、ユーザーは上記三つの態様により取得されたユーザーの現在の状態に対して優先順位を設定し、即ち、三つの態様によって取得されたユーザーの現在の状態が異なる場合、優先順位の態様によって取得されたユーザーの現在の状態を優先的に採用することもできる。例えば、優先的に態様３を採用してインテリジェントウェアラブル機器によりユーザーの現在の状態を検出し、次に態様２を採用してユーザーのカレンダーイベントによってユーザーの現在の状態を確定し、最後に態様１を採用してユーザーにより現在の状態を設定するように設定する。ステップＳ１２ｂにおいて、現在の状態情報をユーザーの事前設定の連絡先に通知することは、以下の複数の実現態様を含み得るが、これらに限定されるものではない。
【００５３】
〔態様Ａ〕
図５は、例示的な実施例により示された現在の状態情報をユーザーの事前設定の連絡先に通知する方法のフローチャートである。図５に示すように、ステップＳ１２は、
ユーザーの現在の状態情報に対応する呼出音を生成するステップＳ５１と、
事前設定の連絡先からの着信がある場合、呼出音を再生するステップＳ５２と、を含む。
【００５４】
端末は、事前設定の連絡先からの着信がある場合、ユーザーの現在の状態に対応する呼出音を再生し、事前設定の連絡先が呼出音を聞いた後に該ユーザーの現在の状態を知ることができるようにし、ユーザーが電話に出られなかった原因を理解させ、ユーザー同士の円滑な通信を保証し、ユーザーエクスペリエンスを向上させる。
【００５５】
ステップＳ５１において、ユーザーの現在の状態情報に対応する呼出音を生成することは、録音又は現在の状態に対応するデフォルト状態の着信音を選択することで実現することができる。
【００５６】
図６は、例示的な実施例により示されたユーザーの現在の状態情報に対応する呼出音を生成する方法のフローチャートである。図６に示すように、ステップＳ５１は、
ユーザーの現在の状態を含む音声情報を収集するステップＳ６１と、
音声情報をユーザーの現在の状態情報に対応する呼出音とするステップＳ６２と、を含む。
【００５７】
図７は、他の例示的な実施例により示されたユーザーの現在の状態情報に対応する呼出音を生成する方法のフローチャートである。図７に示すように、ステップＳ５１は、
ユーザーの現在の状態情報に対応する事前設定の呼出音を検索するステップＳ７１と、
事前設定の呼出音をユーザーの現在の状態情報に対応する呼出音とするステップＳ７２と、を含む。
【００５８】
ユーザーは自分の現在の状態を自分で説明しながら録音し、録音により得られた音声情報をユーザーの現在の状態情報に対応する呼出音とするか、又は現在の状態に対応するデフォルト状態の着信音を選択してユーザーの現在の状態情報に対応する呼出音とすることができる。このようにして、事前設定の連絡先は呼出音を聞いた後に該ユーザーの現在の状態を知り、ユーザーが電話に出られない原因を理解することができ、ユーザー同士の円滑な通信を保証し、ユーザーエクスペリエンスを向上させる。
【００５９】
〔態様Ｂ〕
ステップＳ１２は、現在の状態情報を事前設定の連絡先の端末に送信し、事前設定の連絡先の端末は現在の状態情報に基づいてユーザーの現在の状態をマーキングすることを含む。
【００６０】
図８は、例示的な実施例により示された事前設定の連絡先が該ユーザーの現在の状態をマーキングすることを示す図である。図８に示すように、事前設定の連絡先のアドレス帳８１において、各連絡先の現在の状態をマーキングすることができ、その現在の状態がノーマルであれば、標識しなくても良い。
【００６１】
端末は、当該ユーザーの現在の状態情報を事前設定の連絡先の端末に送信することができ、事前設定の連絡先の端末はアドレス帳における該ユーザーの位置に該ユーザーの現在の状態をマーキングして、事前設定の連絡先に該ユーザーと連絡する前に該ユーザーの状態を知らせ、該ユーザーの現在の状態に基づいて該ユーザーと連絡するか否かを選択することができる。このようにして、ユーザー同士のコミュニケーションをさらに円滑にし、通信の効率を向上させ、ユーザーエクスペリエンスもさらに向上させる。
【００６２】
ステップＳ１１ｂとステップＳ１２ｂの実現態様は上記の態様に限定されるものではない。本発明の技術的解決手段を実現するために、上記のステップＳ１１ｂの複数種の実現態様とステップＳ１２ｂの複数種の実現態様の間は任意に組み合わせることができる。
【００６３】
以下は本発明に係る装置の実施例であり、本発明の方法の実施例を実施することができる。
【００６４】
図９は、例示的な実施例により示された状態を通知する装置のブロック図である。該装置は、ソフトウェア、ハードウェア又は両者の組み合わせによって電子装置の一部又は全部を実現することができる。図９に示すように、該状態を通知する装置は、
端末のユーザーの現在の状態情報を取得するように構成された取得モジュール９１と、
現在の状態情報をユーザーの事前設定の連絡先に通知するように構成された通知モジュール９２と、を含む。
【００６５】
図１０は、例示的な実施例により示された取得モジュールのブロック図である。図１０に示すように、取得モジュール９１は、
ユーザーの現在の状態情報に対する設定結果が存在するか否かを判断するように構成された判断サブモジュール１０１と、
設定結果が存在する場合、設定結果に基づいてユーザーの現在の状態情報を取得するように構成される第１の取得サブモジュール１０２と、を含む。
【００６６】
図１１は、他の例示的な実施例により示された取得モジュールのブロック図である。図１１に示すように、取得モジュール９１は、
ユーザーのカレンダーイベントを検出するように構成された第１の検出サブモジュール１１１と、
カレンダーイベントに基づいてユーザーの現在の状態情報を確定するように構成された第１の確定サブモジュール１１２と、を含む。
【００６７】
図１２は、他の例示的な実施例により示された取得モジュールのブロック図である。図１２に示すように、取得モジュール９１は、
端末とバインドされたインテリジェントウェアラブル機器によりフィードバックされたユーザーの現在の状態情報を取得するように構成された第２の取得サブモジュール１２１を含む。
【００６８】
図１３は、他の例示的な実施例により示された取得モジュールのブロック図である。図１３に示すように、取得モジュール９１は、
ユーザーにより設定された第１の現在の状態情報を取得するように構成された第３の取得サブモジュール１３１と、
ユーザーのカレンダーイベントを検出してユーザーの第２の現在の状態情報を確定するか、又はインテリジェントウェアラブル機器によりフィードバックされたユーザーの第２の現在の状態情報を検出するように構成された第２の検出サブモジュール１３２と、
第２の現在の状態情報と第１の現在の状態情報を比較するように構成された比較サブモジュール１３３と、
第２の現在の状態情報と第１の現在の状態情報がマッチングしない場合、第２の現在の状態情報をユーザーの現在の状態情報とするように構成された第２の確定サブモジュール１３４と、を含む。
【００６９】
図１４は、例示的な実施例により示された通知モジュールのブロック図である。図１４に示すように、通知モジュール９２は、
ユーザーの現在の状態情報に対応する呼出音を生成するように構成された生成サブモジュール１４１と、
事前設定の連絡先からの着信がある場合、呼出音を再生するように構成された再生サブモジュール１４２と、を含む。
【００７０】
生成サブモジュール１４１は、ユーザーの現在の状態を含む音声情報を収集して、音声情報をユーザーの現在の状態情報に対応する呼出音とするように構成される。
【００７１】
生成サブモジュール１４１は、ユーザーの現在の状態情報に対応する事前設定の呼出音を検索して、事前設定の呼出音をユーザーの現在の状態情報に対応する呼出音とするように構成される。
【００７２】
図１５は、他の例示的な実施例により示された通知モジュールのブロック図である。図１５に示すように、通知モジュール９２は、
現在の状態情報を事前設定の連絡先の端末に送信し、事前設定の連絡先の端末が現在の状態情報に基づいてユーザーの現在の状態をマーキングするように構成された送信サブモジュール１５１を含み得る。
【００７３】
本発明の実施例の第３の態様によれば、
プロセッサと、プロセッサにより実行可能なコマンドを記憶するためのメモリと、を含み、
上記プロセッサは、端末のユーザーの現在の状態情報を取得し、現在の状態情報をユーザーの事前設定の連絡先に通知するように構成される。
【００７４】
上記の実施例における装置について、各モジュールの操作を実行する具体的な態様は既に該方法に関わる実施例で詳しく説明されたため、ここでその詳細な説明を省略する。
【００７５】
図１６は、例示的な実施例により示されたカメラ制御装置のブロック図である。該装置は端末装置に適用される。例えば、装置１７００は、ビデオカメラ、録音装置、携帯電話、コンピュータ、デジタル放送端末、メッセージ送受信装置、ゲームコンソール、タブレット型デバイス、医療機器、運動器具、携帯情報端末などであっても良い。
【００７６】
装置１７００は、処理部材１７０２、メモリ１７０４、電源部材１７０６、マルチメディア部材１７０８、音声部材１７１０、入力／出力（Ｉ／Ｏ）インタフェース１７１２、センサ部材１７１４、及び通信部材１７１６のうちの一つ又は複数のモジュールを含むことができる。
【００７７】
処理部材１７０２は、一般的に装置１７００全体的操作、例えば、表示、電話呼び出し、データ通信、カメラ操作及び記録操作に関する操作を制御する。処理部材１７０２は、上記の方法の全部又は一部のステップを完成するために、コマンドを実行する一つ又は複数のプロセッサ１７２０を含むことができる。さらに、処理部材１７０２は、その他のモジュールとのインタラクションを実行し易くするために、一つ又は複数のモジュールを含むことができる。例えば、処理部材１７０２は、マルチメディア部材１７０８と処理部材１７０２とのインタラクションを実行し易くするために、マルチメディアモジュールを含むことができる。
【００７８】
メモリ１７０４は、装置１７００における操作をサポートするために、様々な種類のデータを記憶するように構成される。これらのデータの例示は、装置１７００で操作される如何なるアプリケーション又は方法のコマンド、連絡先データ、電話帳データ、メッセージ、画像、ビデオなどを含む。メモリ１７０４は、如何なる種類の揮発性又は不揮発性メモリ又はそれらの組合せ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読取り専用メモリ（ＲＯＭ）、磁気メモリ、フラッシュメモリ、磁気ディスク又はコンパクトディスクにより実現できる。
【００７９】
電源部材１７０６は、装置１７００の様々なモジュールへ電力を供給する。電源部材１７０６は、電源管理システム、一つ又は複数の電源、及びその他の装置１７００への電力を生成、管理及び供給する部材を含むことができる。
【００８０】
マルチメディア部材１７０８は、前記装置１７００とユーザーの間の一つの出力インタフェースを提供するスクリーンを含む。一部の実施例において、スクリーンは液晶ディスプレー（ＬＣＤ）とタッチパネル（ＴＰ）を含むことができる。スクリーンは、スクリーンにタッチパネルが含まれる場合、ユーザーからの入力信号を受信するために、タッチスクリーンとされて実現できる。タッチパネルは、タッチ、スワイプ及びタッチパネルにおけるジェスチャーを感知するための一つ又は複数のタッチセンサを含む。前記タッチセンサは、タッチ又はスワイプ動作の境界を感知するとともに、前記タッチ又はスワイプ動作に係る持続時間及び圧力を検出することができる。幾つかの実施例において、マルチメディア部材１７０８は、フロントカメラ及び／又はバックカメラを含む。装置１７００が操作モードである場合、例えば、撮影モード又はビデオモードである場合、フロントカメラ及び／又はバックカメラは、外部のマルチメディアデータを受信できる。各フロントカメラ及びバックカメラは、固定された光学レンズシステムであってもよく、又は焦点距離と光学ズーム能力を有する。
【００８１】
音声部材１７１０は、音声信号を出力及び／又は入力するように構成される。例えば、音声部材１７１０は、マイクロホン（ＭＩＣ）を含み、装置１７００が操作モードである場合、例えば、呼び出しモード、記録モード及び音声認識モードである場合、マイクロホンは外部の音声信号を受信するように構成される。受信された音声信号は、さらにメモリ１７０４に記憶され、又は通信部材１７１６を介して送信される。幾つかの実施例において、音声部材１７１０は、さらに音声信号を出力するスピーカーを含む。
【００８２】
Ｉ／Ｏインタフェース１７１２は、処理部材１７０２と周辺インターフェースモジュールとの間にインタフェースを提供し、上記の周辺インターフェースモジュールは、キーボード、クリックホイール、ボタンなどであってもよい。これらのボタンは、ホームボタン、ボリュームボタン、スタートボタン及びホールドボタンを含み得るが、これらに限定されるものではない。
【００８３】
センサ部材１７１４は、装置１７００のために各方面の状態評価を提供する一つ又は複数のセンサを含む。例えば、センサ部材１７１４は、装置１７００のオン／オフ状態、モジュールの相対的位置決めを検出でき、例えば、前記部材は装置１７００のディスプレイ及びキーパッドであり、センサ部材１７１４は、さらに装置１７００又は装置１７００の一つの部材の位置変化、ユーザーと装置１７００との接触の有無、装置１７００の位置又は加速／減速及び装置１７００の温度変化を検出することができる。センサ部材１７１４は、近接センサを含むことができ、如何なる物理的接触がない場合、近傍物体の存在を検出するように構成される。センサ部材１７１４は、例えば、ＣＭＯＳ又はＣＣＤイメージセンサのような、イメージングアプリケーションに用いられる光学センサをさらに含むことができる。幾つかの実施例において、該センサ部材１７１４は、さらに加速度センサ、ジャイロセンサ、磁気センサ、圧力センサ又は温度センサを含むことができる。
【００８４】
通信部材１７１６は、装置１７００とその他の装置との有線又は無線の通信を行い易くするように構成される。装置１７００は、例えば、Ｗｉ−Ｆｉ、２Ｇ又は３Ｇ、又はそれらの組み合わせのような、通信標準に基づく無線ネットワークにアクセスできる。例示的な実施例において、通信部材１７１６は、放送チャネルを介して外部放送管理システムからの放送信号又は放送関連情報を受信する。例示的な実施例において、通信部材１７１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現できる。
【００８５】
例示的な実施例において、装置１７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現でき、上記の方法を実行するのに用いられる。
【００８６】
例示的な実施例において、さらに、コマンドを含む非一時的コンピュータ可読記憶媒体、例えば、コマンドを含むメモリ１７０４を提供し、上記の方法を完成するために、上記のコマンドは装置１７００のプロセッサ１７２０により実行できる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【００８７】
記憶媒体におけるコマンドが装置１７００のプロセッサにより実行される場合、装置１７００が上記の状態を通知する方法を実行するようにする非一時的なコンピュータ可読記憶媒体であって、上記方法は、
端末のユーザーの現在の状態情報を取得することと、
現在の状態情報をユーザーの事前設定の連絡先に通知することと、を含む。
【００８８】
端末のユーザーの現在の状態情報を取得することは、
ユーザーの現在の状態情報に対する設定結果が存在するか否かを判断することと、
設定結果が存在する場合、設定結果に基づいてユーザーの現在の状態情報を取得することと、を含み得る。
【００８９】
端末のユーザーの現在の状態情報を取得することは、
ユーザーのカレンダーイベントを検出することと、
カレンダーイベントに基づいてユーザーの現在の状態情報を確定することと、を含み得る。
【００９０】
端末のユーザーの現在の状態情報を取得することは、
端末とバインドされたインテリジェントウェアラブル機器によりフィードバックされたユーザーの現在の状態情報を取得することを含み得る。
【００９１】
端末のユーザーの現在の状態情報を取得することは、
ユーザーにより設定された第１の現在の状態情報を取得することと、
ユーザーのカレンダーイベントを検出してユーザーの第２の現在の状態情報を確定するか、又はインテリジェントウェアラブル機器によりフィードバックされたユーザーの第２の現在の状態情報を検出することと、
第２の現在の状態情報と第１の現在の状態情報を比較することと、
第２の現在の状態情報と第１の現在の状態情報がマッチングしない場合、第２現在の状態情報をユーザーの現在の状態情報とすることとを含み得る。
【００９２】
現在の状態情報をユーザーの事前設定の連絡先に通知することは、
ユーザーの現在の状態情報に対応する呼出音を生成することと、
事前設定の連絡先からの着信がある場合、呼出音を再生することと、を含み得る。
【００９３】
ユーザーの現在の状態情報に対応する呼出音を生成することは、
ユーザーの現在の状態を含む音声情報を収集し、音声情報をユーザーの現在の状態情報に対応する呼出音とすることを含み得る。
【００９４】
ユーザーの現在の状態情報に対応する呼出音を生成することは、
ユーザーの現在の状態情報に対応する事前設定の呼出音を検索して、事前設定の呼出音をユーザーの現在の状態情報に対応する呼出音とすることを含み得る。
【００９５】
現在の状態情報をユーザーの事前設定の連絡先に通知することは、
現在の状態情報を事前設定の連絡先の端末に送信し、事前設定の連絡先の端末が現在の状態情報に基づいてユーザーの現在の状態をマーキングすることを含み得る。
【００９６】
当業者であれば、明細書を参照し、本願で開示される発明を実践することにより、本発明のその他の実施態様を容易に想到し得る。本願は、如何なる変形、用途又は適応的変化を含むことを旨とするものであり、これらの変形、用途又は適応的変化は本発明の一般的な原理に準じ、本発明で開示されていない当該技術分野における一般的な知識又は慣用の技術手段を含む。明細書と実施例は例示的なものに過ぎず、本発明の実際の範囲と精神は特許請求の範囲により与えられる。
【００９７】
理解すべきことは、本発明は、上記のように説明されるものと図面に示された正確な構造に限定されず、その範囲を逸脱しない限りに様々な修正や変更を行うことができる。本発明の範囲は添付の特許請求の範囲のみにより限定される。
【図１ａ】
0006279815.tif 000002
【図１ｂ】
0006279815.tif 000003
【図２】
0006279815.tif 000004
【図３】
0006279815.tif 000005
【図４】
0006279815.tif 000006
【図５】
0006279815.tif 000007
【図６】
0006279815.tif 000008
【図７】
0006279815.tif 000009
【図８】
0006279815.tif 000010
【図９】
0006279815.tif 000011
【図１０】
0006279815.tif 000012
【図１１】
0006279815.tif 000013
【図１２】
0006279815.tif 000014
【図１３】
0006279815.tif 000015
【図１４】
0006279815.tif 000016
【図１５】
0006279815.tif 000017
【図１６】
0006279815.tif 000018